(57)【要約】【課題】駆動の効率化を図ることのできる表示シートの駆動方法、制御装置、表示装置および電子機器を提供すること。【解決手段】  表示装置２０は、白色粒子５Ａの色が表示される白色表示状態と、赤色粒子６Ａの色が表示される赤色表示状態と、赤色粒子とシアン色の分散媒の混色である黒色が表示される黒色表示状態とをとることができる。そして、白色表示状態と赤色表示状態とを切り替えるために電極に印加する電圧よりも、白色表示状態と黒色表示状態とを切り替えるために電極に印加する電圧および赤色表示状態と黒色表示状態とを切り替えるために電極に印加する電圧の方が、大きさが小さいか作用時間が短いかの少なくとも一方を満たしている。【選択図】図４
2012083386.tif 000002
【特許請求の範囲】
【請求項１】
白色をなし正または負に帯電する第１の粒子と前記第１の粒子と異なる色をなし前記第１の粒子と反対の極に帯電する第２の粒子とを、前記第２の粒子の色と補色の関係にある色の分散媒に分散してなる分散液が充填された表示層を有する表示シートの駆動方法であって、
前記表示シートは、前記表示層へ電界を作用させることにより、前記第１の粒子を前記表示層の一方側に設けられた表示面側に偏在させて前記表示面に前記第１の粒子の色を表示する第１の色表示状態、前記第２の粒子を前記表示層の前記表示面側に偏在させて前記表示面に前記第２の粒子の色を表示する第２の色表示状態および前記分散媒中に前記第２の粒子を分散させて前記表示面に前記第２の粒子と前記分散媒の混合色を表示する第３の色表示状態のうちのいずれか１つの状態をとることができ、
前記第１の色表示状態と前記第２の色表示状態とを切り替えるために前記表示層に作用させる電界よりも、前記第１の色表示状態と前記第３の色表示状態とを切り替えるために前記表示層に作用させる電界および前記第２の色表示状態と前記第３の色表示状態とを切り替えるために前記表示層に作用させる電界の大きさが小さいか作用時間が短いかの少なくとも一方を満たすことを特徴とする表示シートの駆動方法。
【請求項２】
前記第１の色表示状態と前記第３の色表示状態とを切り替えるために前記表示層に作用させる電界よりも、前記第２の色表示状態と前記第３の色表示状態とを切り替えるために前記表示層に作用させる電界の大きさが小さいか作用時間が短いかの少なくとも一方を満たすことを特徴とする表示シートの駆動方法。
【請求項３】
前記第１の粒子の前記分散媒中の移動度と前記第２の粒子の前記分散媒中の移動度とが異なっている請求項２に記載の表示シートの駆動方法。
【請求項４】
前記第１の粒子の前記分散媒中の移動度は、前記第２の粒子の前記分散媒中の移動度と等しい請求項２に記載の表示シートの駆動方法。
【請求項５】
前記第１の色表示状態から前記第３の色表示状態へ切り替えるときは、前記第２の色表示状態を経由する請求項１ないし４のいずれかに記載の表示シートの駆動方法。
【請求項６】
前記第２の色表示状態から前記第３の色表示状態へ切り替えるときは、前記第１の色表示状態を経由する請求項１ないし４のいずれかに記載の表示シートの駆動方法。
【請求項７】
白色をなし正または負に帯電する第１の粒子と前記第１の粒子と異なる色をなし前記第１の粒子と反対の極に帯電する第２の粒子とを、前記第２の粒子の色と補色の関係にある色の分散媒に分散してなる分散液が充填された表示層を有し、前記表示層へ電界を作用させることにより、前記第１の粒子を前記表示層の一方側に設けられた表示面側に偏在させて前記表示面に前記第１の粒子の色を表示する第１の色表示状態、前記第２の粒子を前記表示層の前記表示面側に偏在させて前記表示面に前記第２の粒子の色を表示する第２の色表示状態および前記分散媒中に前記第２の粒子を分散させて前記表示面に前記第２の粒子と前記分散媒の混合色を表示する第３の色表示状態のうちのいずれか１つの状態をとることができる表示シートの駆動を制御する制御装置であって、
前記第１の色表示状態と前記第２の色表示状態とを切り替えるために前記表示層に作用させる電界よりも、前記第１の色表示状態と前記第３の色表示状態とを切り替えるために前記表示層に作用させる電界および前記第２の色表示状態と前記第３の色表示状態とを切り替えるために前記表示層に作用させる電界の大きさが小さいか作用時間が短いかの少なくとも一方を満たすように前記表示シートの駆動を制御することを特徴とする制御装置。
【請求項８】
白色をなし正または負に帯電する第１の粒子と前記第１の粒子と異なる色をなし前記第１の粒子と反対の極に帯電する第２の粒子とを、前記第２の粒子の色と補色の関係にある色の分散媒に分散してなる分散液が充填された表示層を有し、
前記表示層へ電界を作用させることにより、前記第１の粒子を前記表示層の一方側に設けられた表示面側に偏在させて前記表示面に前記第１の粒子の色を表示する第１の色表示状態、前記第２の粒子を前記表示層の前記表示面側に偏在させて前記表示面に前記第２の粒子の色を表示する第２の色表示状態および前記分散媒中に前記第２の粒子を分散させて前記表示面に前記第２の粒子と前記分散媒の混合色を表示する第３の色表示状態のうちのいずれか１つの状態をとることができ、
前記第１の色表示状態と前記第２の色表示状態とを切り替えるために前記表示層に作用させる電界よりも、前記第１の色表示状態と前記第３の色表示状態とを切り替えるために前記表示層に作用させる電界および前記第２の色表示状態と前記第３の色表示状態とを切り替えるために前記表示層に作用させる電界の大きさが小さいか作用時間が短いかの少なくとも一方を満たすことを特徴とする表示装置。
【請求項９】
請求項８に記載の表示装置を備えることを特徴とする電子機器。
【発明の詳細な説明】
【技術分野】
【０００１】
本発明は、表示シートの駆動方法、制御装置、表示装置および電子機器に関するものである。
【背景技術】
【０００２】
例えば、電子ペーパーの画像表示部を構成するものとして、粒子の電気泳動を利用した電気泳動ディスプレイが知られている（例えば、特許文献１参照）。電気泳動ディスプレイは、優れた可搬性および省電力性を有しており、電子ペーパーの画像表示部として特に適している。
特許文献１には、対向配置された一対の電極（共通電極および複数の画素電極）と、これらの間に設けられた複数の分割セルとを有し、フルカラー表示が可能な電気泳動表示装置が記載されている。この電気泳動表示装置では、互いに隣り合う３つのセルで１画素が構成されている。具体的には、第１のセルには、白色とイエローの電気泳動粒子を青色の分散媒に分散してなる分散液が充填されており、第２のセルには、白色とマゼンタの電気泳動粒子を緑色の分散媒に分散してなる分散液が充填されており、第３のセルには、白色とシアンの電気泳動粒子を赤色の分散媒に分散してなる分散液が充填されている。そして、１画素中の３つのセルにおいて、電気泳動粒子の状態（偏在位置等）を独立して制御することにより、当該１画素において所望の色を表するように構成されている。
このような電気泳動表示装置の第１のセル（第２のセル、第３のセルについても色が異なる以外は同様）では、電極に所望の電圧を印加することにより、白色粒子の色が表示される白色表示状態と、イエローの粒子の白が表示される黄色表示状態と、分散液の色が表示される青色表示状態とをとることができる。
【０００３】
しかしながら、例えば、第１のセルの直前の表示状態が何であるかに関わらず、白色表示状態とするための電圧パターンが同じであるため、すなわち、黄色表示状態から白色表示状態とするために印加する電圧と、青色表示状態から白色表示状態とするために印加する電圧とが同じであるため、過度な電圧が印加されるおそれがあり、駆動の効率が悪化したり、電気泳動粒子が第１のセルの内壁に焼き付いて動けなくなり表示品質が低下したりする問題がある。
【先行技術文献】
【特許文献】
【０００４】
【特許文献１】特開２０１０−７２６１７号公報
【発明の概要】
【発明が解決しようとする課題】
【０００５】
本発明の目的は、例えば、駆動の効率化を図ることのできる表示シートの駆動方法、制御装置、表示装置および電子機器を提供することにある。
【課題を解決するための手段】
【０００６】
このような目的は、下記の本発明により達成される。
本発明の表示シートの駆動方法は、白色をなし正または負に帯電する第１の粒子と前記第１の粒子と異なる色をなし前記第１の粒子と反対の極に帯電する第２の粒子とを、前記第２の粒子の色と補色の関係にある色の分散媒に分散してなる分散液が充填された表示層を有する表示シートの駆動方法であって、
前記表示シートは、前記表示層へ電界を作用させることにより、前記第１の粒子を前記表示層の一方側に設けられた表示面側に偏在させて前記表示面に前記第１の粒子の色を表示する第１の色表示状態、前記第２の粒子を前記表示層の前記表示面側に偏在させて前記表示面に前記第２の粒子の色を表示する第２の色表示状態および前記分散媒中に前記第２の粒子を分散させて前記表示面に前記第２の粒子と前記分散媒の混合色を表示する第３の色表示状態のうちのいずれか１つの状態をとることができ、
前記第１の色表示状態と前記第２の色表示状態とを切り替えるために前記表示層に作用させる電界よりも、前記第１の色表示状態と前記第３の色表示状態とを切り替えるために前記表示層に作用させる電界および前記第２の色表示状態と前記第３の色表示状態とを切り替えるために前記表示層に作用させる電界の大きさが小さいか作用時間が短いかの少なくとも一方を満たすことを特徴とする。
これにより、駆動の効率化を図ることのできる表示シートの駆動方法を提供することができる。
【０００７】
本発明の表示シートの駆動方法は、前記第１の色表示状態と前記第３の色表示状態とを切り替えるために前記表示層に作用させる電界よりも、前記第２の色表示状態と前記第３の色表示状態とを切り替えるために前記表示層に作用させる電界の大きさが小さいか作用時間が短いかの少なくとも一方を満たすことを特徴とする。
これにより、表示シート駆動の効率化をさらに図ることができる。
【０００８】
本発明の表示シートの駆動方法では、前記第１の粒子の前記分散媒中の移動度と前記第２の粒子の前記分散媒中の移動度とが異なっていることが好ましい。
これにより、より反射率の低い黒色を表示することができる。
本発明の表示シートの駆動方法では、前記第１の粒子の前記分散媒中の移動度は、前記第２の粒子の前記分散媒中の移動度と等しいことが好ましい。
これにより、第１の粒子および第２の粒子の制御を容易に行うことができる。
【０００９】
本発明の表示シートの駆動方法では、前記第１の色表示状態から前記第３の色表示状態へ切り替えるときは、前記第２の色表示状態を経由することが好ましい。
これにより、より確実に、表示される黒色の反射率を揃えることができる。
本発明の表示シートの駆動方法では、前記第２の色表示状態から前記第３の色表示状態へ切り替えるときは、前記第１の色表示状態を経由することが好ましい。
これにより、より確実に、表示される黒色の反射率を揃えることができる。
【００１０】
本発明の制御装置は、白色をなし正または負に帯電する第１の粒子と前記第１の粒子と異なる色をなし前記第１の粒子と反対の極に帯電する第２の粒子とを、前記第２の粒子の色と補色の関係にある色の分散媒に分散してなる分散液が充填された表示層を有し、前記表示層へ電界を作用させることにより、前記第１の粒子を前記表示層の一方側に設けられた表示面側に偏在させて前記表示面に前記第１の粒子の色を表示する第１の色表示状態、前記第２の粒子を前記表示層の前記表示面側に偏在させて前記表示面に前記第２の粒子の色を表示する第２の色表示状態および前記分散媒中に前記第２の粒子を分散させて前記表示面に前記第２の粒子と前記分散媒の混合色を表示する第３の色表示状態のうちのいずれか１つの状態をとることができる表示シートの駆動を制御する制御装置であって、
前記第１の色表示状態と前記第２の色表示状態とを切り替えるために前記表示層に作用させる電界よりも、前記第１の色表示状態と前記第３の色表示状態とを切り替えるために前記表示層に作用させる電界および前記第２の色表示状態と前記第３の色表示状態とを切り替えるために前記表示層に作用させる電界の大きさが小さいか作用時間が短いかの少なくとも一方を満たすように前記表示シートの駆動を制御することを特徴とする。
これにより、駆動の効率化を図ることのできる表示シートの制御装置を提供することができる。
【００１１】
本発明の表示装置は、白色をなし正または負に帯電する第１の粒子と前記第１の粒子と異なる色をなし前記第１の粒子と反対の極に帯電する第２の粒子とを、前記第２の粒子の色と補色の関係にある色の分散媒に分散してなる分散液が充填された表示層を有し、
前記表示層へ電界を作用させることにより、前記第１の粒子を前記表示層の一方側に設けられた表示面側に偏在させて前記表示面に前記第１の粒子の色を表示する第１の色表示状態、前記第２の粒子を前記表示層の前記表示面側に偏在させて前記表示面に前記第２の粒子の色を表示する第２の色表示状態および前記分散媒中に前記第２の粒子を分散させて前記表示面に前記第２の粒子と前記分散媒の混合色を表示する第３の色表示状態のうちのいずれか１つの状態をとることができ、
前記第１の色表示状態と前記第２の色表示状態とを切り替えるために前記表示層に作用させる電界よりも、前記第１の色表示状態と前記第３の色表示状態とを切り替えるために前記表示層に作用させる電界および前記第２の色表示状態と前記第３の色表示状態とを切り替えるために前記表示層に作用させる電界の大きさが小さいか作用時間が短いかの少なくとも一方を満たすことを特徴とする。
これにより、駆動の効率化を図ることのできる表示装置を提供することができる。
本発明の電子機器は、本発明の表示装置を備えることを特徴とする。
これにより、信頼性の高い電子機器が得られる。
【図面の簡単な説明】
【００１２】
【図１】本発明の表示装置の第１実施形態を示す断面図である。
【図２】図１に示す表示装置の平面図である。
【図３】図１に示す表示装置の１つの画素を示した拡大断面図である。
【図４】図１に示す表示装置の表示状態を示す断面図である。
【図５】図１に示す表示装置の第１の電極に印加する電圧を示す図である。
【図６】印加電圧の大きさと粒子の移動距離との関係を示すグラフである。
【図７】図１に示す表示装置の第１の電極に印加する電圧を示す図である。
【図８】表示装置の黒色表示状態を示す断面図である。
【図９】表示装置の黒色表示状態を示す断面図である。
【図１０】本発明の表示装置の第５実施形態を示す断面図である。
【図１１】本発明の電子機器を電子ペーパーに適用した場合の実施形態を示す斜視図である。
【図１２】本発明の電子機器をディスプレイに適用した場合の実施形態を示す図である。
【発明を実施するための形態】
【００１３】
以下、本発明の表示シートの駆動方法、制御装置、表示装置および電子機器を添付図面に示す好適な実施形態に基づいて詳細に説明する。
１．表示装置
まず、本発明の表示シートを組み込んだ表示装置について説明する。
【００１４】
＜第１実施形態＞
図１は、本発明の表示装置の第１実施形態を示す断面図、図２は、図１に示す表示装置の平面図、図３は、図１に示す表示装置の１つの画素を示した拡大断面図、図４は、図１に示す表示装置の表示状態を示す断面図、図５は、図１に示す表示装置の第１の電極に印加する電圧を示す図、図６は、印加電圧の大きさと粒子の移動距離との関係を示すグラフである。なお、以下では、説明の都合上、図１、図２、図３および図４中の上側を「上」、下側を「下」として説明を行う。
【００１５】
図１に示す表示装置（本発明の表示装置）２０は、粒子の泳動を利用して所望の画像を表示する電気泳動表示装置である。この表示装置２０は、表示シート２１と、回路基板（制御装置）２２とを有している。
図１に示すように、表示シート２１は、平板状の基部２と基部２の下面に設けられた第２の電極４とを備える基板１２と、基板１２上に設けられ、分散液１００が充填された複数のセル（充填部）４１０を有する表示層４００とを有している。
【００１６】
一方、回路基板２２は、平板状の基部１と基部１の上面に設けられた複数の第１の電極３とを備える対向基板１１と、この対向基板１１（基部１）に設けられた図示しない回路とを有している。前記回路は、例えば、マトリックス状に配列されたＴＦＴと、これに対応して形成された複数のゲート線および複数のデータ線と、ゲート線に所望の電圧を印加するゲートドライバーと、データ線に所望の電圧を印加するデータドライバーと、ゲートドライバーとデータドライバーの駆動を制御する制御部（コントローラー）とを有している。
【００１７】
以下、各部の構成について順次説明する。
基部１および基部２は、それぞれ、シート状（平板状）の部材で構成され、これらの間に配置される各部材を支持および保護する機能を有する。各基部１、２は、それぞれ、可撓性を有するもの、硬質なもののいずれであってもよいが、可撓性を有するものであるのが好ましい。可撓性を有する基部１、２を用いることにより、可撓性を有する表示装置２０、すなわち、例えば電子ペーパーを構築する上で有用な表示装置２０を得ることができる。
【００１８】
各基部（基材層）１、２を可撓性を有するものとする場合、その構成材料としては、それぞれ、例えば、ＰＥＴ（ポリエチレンテレフタレート）、ＰＥＮ（ポリエチレンナフタレート）等のポリエステル、ポリエチレン等のポリオレフィン、変性ポリオレフィン、ポリアミド、熱可塑性ポリイミド、ポリエーテル、ポリエーテルエーテルケトン、ポリウレタン系、塩素化ポリエチレン系等の各種熱可塑性エラストマー等、またはこれらを主とする共重合体、ブレンド体、ポリマーアロイ等が挙げられ、これらのうちの１種または２種以上を混合して用いることができる。
【００１９】
このような基部１、２の平均厚さは、それぞれ、構成材料、用途等により適宜設定され、特に限定されないが、可撓性を有するものとする場合、２０μｍ以上、５００μｍ以下程度であるのが好ましく、２５μｍ以上、２５０μｍ以下程度であるのがより好ましい。これにより、表示装置２０の柔軟性と強度との調和を図りつつ、表示装置２０の小型化（特に、薄型化）を図ることができる。
【００２０】
これらの基部１、２の表示層４００側の面、すなわち、基部１の上面および基部２の下面に、それぞれ、層状（膜状）をなす第１の電極３および第２の電極４が設けられている。本実施形態では、第２の電極４が共通電極とされ、第１の電極３がマトリックス状（行列状）に分割された個別電極（前記スイッチング素子に接続された画素電極）とされている。また、第１の電極３は、表示層４００が有する各セル４１０に対応して（１つのセル４１０に１つの第１の電極３が位置するように）設けられている。なお、第２の電極４も、第１の電極３と同様に複数に分割するようにしてもよい。
【００２１】
各電極３、４の構成材料としては、それぞれ、実質的に導電性を有するものであれば特に限定されず、例えば、金、銀、銅、アルミニウムまたはこれらを含む合金等の金属材料、カーボンブラック等の炭素系材料、ポリアセチレン、ポリフルオレンまたはこれらの誘導体等の電子導電性高分子材料、ポリビニルアルコール、ポリカーボネート等のマトリックス樹脂中に、ＮａＣｌ、Ｃｕ（ＣＦ３ＳＯ３）２等のイオン性物質を分散させたイオン導電性高分子材料、インジウム酸化物（ＩＯ）、インジウムスズ酸化物（ＩＴＯ）、フッ素ドープ酸化スズ（ＦＴＯ）等の導電性酸化物材料のような各種導電性材料が挙げられ、これらのうちの１種または２種以上を組み合わせて用いることができる。
このような電極３、４の平均厚さは、それぞれ、構成材料、用途等により適宜設定され、特に限定されないが、０．０１μｍ以上、１０μｍ以下程度であるのが好ましく、０．０２μｍ以上、５μｍ以下程度であるのがより好ましい。
【００２２】
ここで、各基部１、２および各電極３、４のうち、表示面側に配置される基部および電極は、それぞれ、光透過性を有するもの、すなわち、実質的に透明（無色透明、有色透明または半透明）とされる。本実施形態では、基板１２の表面（上面）が表示面１２１を構成するため、少なくとも基部２および第２の電極４は、実質的に透明とされる。これにより、分散液１００中における粒子５、６の状態、すなわち表示装置２０に表示された情報（画像）を表示面１２１側から目視により容易に認識することができる。
【００２３】
表示シート２１では、第２の電極４の下面に接触して、表示層４００が設けられている。表示層４００は、分散液（電気泳動分散液）１００が充填（封入）された複数のセル（充填部）４１０がマトリクス状に配列することにより構成されている。なお、分散液１００は、互いに反対の極に帯電した第１の粒子５および第２の粒子６が分散媒（液相分散媒）７に分散したものである。
【００２４】
図１に示すように、表示層４００は、複数の凹部４０１ａがマトリクス状（行列状）に形成された基体４０１と、凹部４０１ａの開口を覆う（塞ぐ）ように基体４０１に接合された蓋体４０２とを有しており、これにより複数のセル４１０が形成されている。
基体４０１は、比較的高い絶縁性と、分散液１００の不透過性とを有している。このような基体４０１の構成材料としては、特に限定されず、例えば、エポキシ系樹脂、アクリル系樹脂、ウレタン系樹脂、メラミン系樹脂、フェノール系樹脂等の各種樹脂材料や、シリカ、アルミナ、チタニア等の各種セラミックス材料等が挙げられ、これらのうちの１種または２種以上を組み合わせて用いることができる。
【００２５】
一方の蓋体４０２も、比較的高い絶縁性と、分散液１００の不透過性とを有している。また、蓋体４０２は、実質的に無色透明であり、セル４１０の外部からセル４１０内を視認することができるようになっている。このような蓋体４０２の構成材料としては、特に限定されず、例えば、ポリエチレン、ポリプロピレン、エチレン−酢酸ビニル共重合体等のポリオレフィン、変性ポリオレフィン、ポリアミド（例：ナイロン６、ナイロン６６）、スチレン系、ポリ塩化ビニル系、ポリウレタン系、ポリエステル系、フッ素ゴム系、塩素化ポリエチレン系等の各種熱可塑性エラストマー等、またはこれらを主とする共重合体、ブレンド体、ポリマーアロイ等が挙げられ、これらのうちの１種または２種以上を混合して用いることができる。
なお、蓋体４０２は、省略してもよく、その場合は、基板１２によって凹部４０１ａの開口を覆えばよい。これにより、装置の構成が簡単なものとなる。また、表示面１２１と分散液１００との間に介在する部材の数を減らすことができるため、光の吸収を抑制でき、より鮮明で明るい画像を表示することができる。
【００２６】
図２に示すように、表示装置２０では、隣り合う３つのセル４１０で１つの画素Ｐｉｘを構成しており、さらに、このような構成の画素Ｐｉｘがマトリクス状に複数配列している。
各画素Ｐｉｘは、それぞれ同様の構成をなしているため、以下では、説明の便宜上、１つの画素Ｐｉｘについて代表して説明し、その他の画素Ｐｉｘについては、その説明を省略する。また、以下では、画素Ｐｉｘを構成する３つのセル４１０を、第１のセル４１０Ａ、第２のセル４１０Ｂおよび第３のセル４１０Ｃとし、第１のセル４１０Ａに充填された分散液１００を分散液１００Ａ、第２のセル４１０Ｂに充填された分散液１００を分散液１００Ｂ、第３のセル４１０Ｃに充填された分散液１００を分散液１００Ｃとして説明する。
【００２７】
図３に示すように、第１のセル４１０Ａに充填された分散液１００Ａは、白色をなす白色粒子（第１の粒子）５Ａと赤色をなす赤色粒子（第２の粒子）６Ａとがシアン色をなす分散媒７Ａに分散したものである。また、白色粒子５Ａおよび赤色粒子６Ａは、互いに反対の極に帯電した電気泳動粒子である。すなわち、白色粒子５Ａおよび赤色粒子６Ａのうちの一方の粒子が正に帯電し、他方の粒子が負に帯電している。また、これら白色粒子５Ａおよび赤色粒子６Ａを分散する分散媒７Ａの色は、赤色粒子６Ａの色と補色の関係にある。
【００２８】
第２のセル４１０Ｂに充填された分散液１００Ｂは、白色をなす白色粒子（第１の粒子）５Ｂと緑色をなす緑色粒子（第２の粒子）６Ｂとがマゼンタ色をなす分散媒７Ｂに分散したものである。また、白色粒子５Ｂおよび緑色粒子６Ｂは、互いに反対の極に帯電した電気泳動粒子である。すなわち、白色粒子５Ｂおよび緑色粒子６Ｂのうちの一方の粒子が正に帯電し、他方の粒子が負に帯電している。また、これら白色粒子５Ｂおよび緑色粒子６Ｂを分散する分散媒７Ｂの色は、緑色粒子６Ｂの色と補色の関係にある。
【００２９】
第３のセル４１０Ｃに充填された分散液１００Ｃは、白色をなす白色粒子（第１の粒子）５Ｃと青色をなす青色粒子（第２の粒子）６Ｃとがイエロー色をなす分散媒７Ｃに分散したものである。また、白色粒子５Ｃおよび青色粒子６Ｃは、互いに反対の極に帯電した電気泳動粒子である。すなわち、白色粒子５Ｃおよび青色粒子６Ｃのうちの一方の粒子が正に帯電し、他方の粒子が負に帯電している。また、これら白色粒子５Ｃおよび青色粒子６Ｃを分散する分散媒７Ｃの色は、青色粒子６Ｃの色と補色の関係にある。
これら電気泳動粒子（白色粒子５Ａ、５Ｂ、５Ｃ、赤色粒子６Ａ、緑色粒子６Ｂおよび青色粒子６Ｃ。以下同様）の分散媒７（７Ａ、７Ｂおよび７Ｃ）への分散は、例えば、ペイントシェーカー法、ボールミル法、メディアミル法、超音波分散法、撹拌分散法等のうちの１種または２種以上を組み合わせて行うことができる。
【００３０】
分散媒７（７Ａ、７Ｂおよび７Ｃ）としては、基体４０１および蓋体４０２に対する溶解性が低く、かつ比較的高い絶縁性を有するものが好適に使用される。かかる分散媒７としては、例えば、各種水（例えば、蒸留水、純水等）、メタノール等のアルコール類、メチルセロソルブ等のセロソルブ類、酢酸メチル等のエステル類、アセトン等のケトン類、ペンタン等の脂肪族炭化水素類（流動パラフィン）、シクロヘキサン等の脂環式炭化水素類、ベンゼン等の芳香族炭化水素類、塩化メチレン等のハロゲン化炭化水素類、ピリジン等の芳香族復素環類、アセトニトリル等のニトリル類、Ｎ，Ｎ−ジメチルホルムアミド等のアミド類、カルボン酸塩またはその他の各種油類等が挙げられ、これらを単独または混合物として用いることができる。
【００３１】
中でも、分散媒７としては、脂肪族炭化水素類（流動パラフィン）、またはシリコーンオイルを主成分とするものが好ましい。流動パラフィン、またはシリコーンオイルを主成分とする分散媒７は、電気泳動粒子の凝集抑制効果が高く、かつセル４１０の構成材料との親和性が低い（溶解性が低い）ことから好ましい。これにより、表示装置２０の表示性能が経時的に劣化するのをより確実に防止または抑制することができる。また、流動パラフィン、またはシリコーンオイルは、不飽和結合を有しないため耐候性に優れ、および安全性も高いという点からも好ましい。
【００３２】
また、本実施形態では、分散媒７Ａ、７Ｂおよび７Ｃを、それぞれ、シアン色、マゼンタ色およびイエロー色に着色するために、分散媒７Ａ、７Ｂおよび７Ｃに、例えば、アントラキノン系染料、アゾ系染料、インジゴイド系染料等の各種染料を適宜溶解する。
また、分散媒７中には、必要に応じて、例えば、電解質、アルケニルコハク酸エステルのような界面活性剤（アニオン性またはカチオン性）、金属石鹸、樹脂材料、ゴム材料、油類、ワニス、コンパウンド等の粒子からなる荷電制御剤、シラン系カップリング剤等の分散剤、潤滑剤、安定化剤等の各種添加剤を添加するようにしてもよい。
【００３３】
電気泳動粒子は、荷電を有し、電界が作用することにより、分散媒７中を電気泳動し得る粒子である。かかる電気泳動粒子には、荷電を有するものであれば、いかなるものをも用いることができ、特に限定はされないが、顔料粒子、樹脂粒子またはこれらの複合粒子のうちの少なくとも１種が好適に使用される。これらの粒子は、製造が容易であるとともに、荷電の制御を比較的容易に行うことができるという利点を有している。
【００３４】
顔料粒子を構成する顔料としては、例えば、アニリンブラック、カーボンブラック、チタンブラック、亜クロム酸銅等の黒色顔料、酸化チタン、酸化アンチモン等の白色顔料、モノアゾ等のアゾ系顔料、イソインドリノン、黄鉛等の黄色顔料、キナクリドンレッド、クロムバーミリオン等の赤色顔料、フタロシアニンブルー、インダスレンブルー等の青色顔料、フタロシアニングリーン等の緑色顔料等が挙げられ、これらのうち１種または２種以上を組み合わせて用いることができる。
【００３５】
また、樹脂粒子を構成する樹脂材料としては、例えば、アクリル系樹脂、ウレタン系樹脂、尿素系樹脂、エポキシ系樹脂、ポリスチレン、ポリエステル等が挙げられ、これらのうちの１種または２種以上を組み合わせて用いることができる。
また、複合粒子としては、例えば、顔料粒子の表面を樹脂材料や他の顔料で被覆したもの、樹脂粒子の表面を顔料で被覆したもの、顔料と樹脂材料とを適当な組成比で混合した混合物で構成される粒子等が挙げられる。
顔料粒子の表面を他の顔料で被覆した粒子としては、例えば、酸化チタン粒子の表面を、酸化珪素や酸化アルミニウムで被覆したものを例示することができ、かかる粒子は、白色粒子５Ａ、５Ｂ、５Ｃとして好適に用いられる。
また、電気泳動粒子の形状は、特に限定されないが、球形状であるのが好ましい。
【００３６】
電気泳動粒子は、分散媒７中での分散性を考慮した場合、より小さいものが好適に用いられ、具体的には、その平均粒径が、１０ｎｍ以上、５００ｎｍ以下程度であるのが好ましく、２０ｎｍ以上、３００ｎｍ以下程度であるのがより好ましい。電気泳動粒子の平均粒径を前記範囲とすることにより、電気泳動粒子同士の凝集や、分散媒７中における沈降を確実に防止して、分散媒７中に分散させることができ、その結果、表示装置２０の表示品質の劣化を好適に防止することができる。
【００３７】
なお、本実施形態のように、２種の異なる粒子を用いる場合、２種の粒子の平均粒径を異ならせること、特に、白色粒子５Ａ、５Ｂ、５Ｃの平均粒径を赤色粒子６Ａ、緑色粒子６Ｂ、青色粒子６Ｃの平均粒径より大きく設定するのが好ましい。これにより、表示装置２０の表示コントラストをより向上させることや、保持特性を向上させることができる。具体的には、赤色粒子６Ａ、緑色粒子６Ｂ、青色粒子６Ｃの平均粒径を２０ｎｍ以上、１００ｎｍ以下程度、白色粒子５Ａ、５Ｂ、５Ｃの平均粒径を１５０ｎｍ以上、３００ｎｍ以下程度とするのが好ましい。
【００３８】
また、電気泳動粒子の比重は、分散媒７の比重とほぼ等しくなるように設定されているのが好ましい。これにより、電気泳動粒子は、電極３、４間への電圧の印加を停止した後においても、分散媒７中において一定の位置に長時間滞留することができる。すなわち、表示装置２０にメモリー性を付与することができ、表示された情報が長時間保持されることとなる。
【００３９】
２．表示装置の駆動方法（本発明の駆動方法）
このような表示装置２０は、次のようにして駆動する。
表示装置２０の第１の電極３と第２の電極４との間に電圧を印加すると、これらの間に電界が生じる。この電界に従って、電気泳動粒子（白色粒子５Ａ、５Ｂ、５Ｃ、赤色粒子６Ａ、緑色粒子６Ｂ、青色粒子６Ｃ）は、電極３、４のいずれかに向かって移動（電気泳動）する。以下、白色粒子５Ａ、５Ｂ、５Ｃとして正荷電を有するものを用い、赤色粒子６Ａ、緑色粒子６Ｂ、青色粒子６Ｃとして負荷電のものを用いた場合について代表して説明する。
【００４０】
また、第１のセル４１０Ａ、第２のセル４１０Ｂおよび第３のセル４１０Ｃのうちの第１のセル４１０Ａについて代表して説明し、第２のセル４１０Ｂおよび第３のセル４１０Ｃについては、その説明を省略する。また、以下では、白色粒子５Ａと赤色粒子６Ａの移動速度（所定の電界を印加したときの分散媒中における粒子の単位時間当たりの移動距離）は、等しいものとする。また、以下では、所定温度下（例えば室温下）での駆動について説明する。また、第２の電極４は、接地状態（０Ｖ）となっているものとする。
【００４１】
第１のセル４１０Ａは、図４（ａ）に示す白色表示状態（第１の色表示状態）と、（ｂ）に示す赤色表示状態（第２の色表示状態）と、（ｃ）に示す黒色表示状態（第３の色表示状態）とになることができる。白色表示状態は、白色粒子５Ａが第２の電極４側に偏在する状態であり、赤色表示状態は、赤色粒子６Ａが第２の電極４側に偏在する状態であり、黒色表示状態は、赤色粒子６Ａが分散液７Ａ中で分散した状態である。黒色表示状態では、白色粒子５Ａが第１の電極３側に偏在する状態が好ましい。
表示装置２０では、回路基板（制御装置）２２に形成された回路によって、少なくとも、白色表示状態と赤色表示状態との切り替え、赤色表示状態と黒色表示状態との切り替え、黒色表示状態と白色表示状態との切り替えを行うことができる。以下、これら切り替えについて説明する。
【００４２】
−白色表示状態と赤色表示状態との切り替え−
赤色表示状態から白色表示状態へ切り替える場合は、赤色表示状態のときに第１の電極３に図５（ａ）に示す電圧Ｖ１を印加する。これにより、第１の電極３と第２の電極４との間に第１の電極３側が第２の電極４側に対して高電位となる電界が生じる。この電界の作用によって、白色粒子５Ａは、第２の電極４側に移動して第２の電極４に偏在し、赤色粒子６Ａは、第１の電極３側に移動して第１の電極３に偏在する。これにより白色表示状態となり、表示面１２１に白色が表示される。
なお、本願明細書において、「偏在」とは、複数の白色粒子５Ａ（赤色粒子６Ａについても同様である。）が、第１のセル４１０の内壁や他の粒子と接触することによって、実質的に直前の移動方向への移動ができない状態で集まっていることを言う（以下、同様である）。
【００４３】
反対に、白色表示状態から赤色表示状態へ切り替える場合は、白色表示状態のときに第１の電極３に図５（ｂ）に示す電圧Ｖ２を印加する。これにより、第１の電極３と第２の電極４との間に第１の電極３側が第２の電極４側に対して低電位となる電界が生じる。この電界の作用によって、白色粒子５Ａは、第１の電極３側に移動して第１の電極３に偏在し、赤色粒子６Ａは、第２の電極４側に移動して第２の電極４に偏在する。これにより赤色表示状態となり、表示面１２１に赤色が生じされる。
【００４４】
電圧Ｖ１は、プラス（＋）の電圧であり、矩形状の波形をなし、大きさが経時的に一定である。電圧Ｖ１の大きさは、特に限定されないが、本実施形態では＋１５Ｖに設定されている。また、第１の電極３への電圧Ｖ１の印加時間は、第１のセル４１０Ａ内で白色粒子５Ａを第２の電極４側から第１の電極３側へ移動させる（すなわち、第１のセル４１０Ａの厚さと等しい距離を移動させる）ことができれば、特に限定されないが、白色粒子５Ａが第２の電極４側から第１の電極３側へ移動するのに必要な時間（すなわち、第１のセル４１０Ａの厚さと等しい距離を移動するのに必要な時間）とほぼ等しいか、または、若干長いのが好ましい。これにより、第１の電極３への過度な電圧印加が防止され、電圧印加時間を最適化することができる。さらに、白色粒子５Ａや赤色粒子６Ａの第１のセル４１０Ａの内壁への焼き付きを防止または抑制することができる。
一方、電圧Ｖ２は、極性が異なる以外は電圧Ｖ１と同じである。すなわち、電圧Ｖ２は、マイナス（−）の電圧であり、矩形状の波形をなし、大きさが経時的に一定である。また、電圧Ｖ２の大きさは、本実施形態では（−）１５Ｖである。また、第１の電極３への電圧Ｖ２の印加時間は、電圧Ｖ１の印加時間と同じである。
【００４５】
−赤色表示状態と黒色表示状態との切り替え−
赤色表示状態から黒色表示状態へ切り替える場合は、赤色表示状態のときに第１の電極３に図５（ｃ）に示す電圧Ｖ３を印加する。電圧Ｖ３は、矩形状の波形をなし、電圧の大きさが経時的に一定である。また、第１の電極３への電圧Ｖ３の印加時間は、電圧Ｖ１の印加時間と同じである。
【００４６】
また、電圧Ｖ３の大きさ（絶対値）は、電圧Ｖ１の大きさ（絶対値）よりも低く、電圧Ｖ１の大きさ（絶対値）の１／４以上、１／２以下程度であるのが好ましい。言い換えれば、電圧Ｖ３を第１の電極３に印加することにより第１の電極３と第２の電極４との間に発生する電界の強さは、電圧Ｖ１を第１の電極３に印加することにより第１の電極３と第２の電極４との間に発生する電界の強さの１／４以上、１／２以下程度であるのが好ましい。これにより、後述するように、より反射率の低い黒色が表示された黒色表示状態とすることができる。なお、本実施形態では、電圧Ｖ３の大きさは、（＋）５Ｖに設定されている。
このような電圧Ｖ３を第１の電極３に印加すると、第１の電極３と第２の電極４との間に、第１の電極３側が第２の電極４側に対して高電位となる電界が生じる。この電界の作用によって、白色粒子５Ａが第１の電極３側から第２の電極４側に移動すると共に、赤色粒子６Ａが第２の電極４側から第１の電極３側へ移動する。
【００４７】
しかしながら、前述のように、電圧Ｖ３の大きさ（絶対値）が電圧Ｖ１と比較して小さいため、電圧Ｖ３を電圧Ｖ１と等しい時間印加しても、白色粒子５Ａは第２の電極４に到達せず、同様に赤色粒子６Ａも第１の電極３に到達しない。その結果、図４（ｃ）に示すように、第１のセル４１０Ａ中の第２の電極４側にて、赤色粒子６Ａが分散すると共に、その下側（第１の電極３側）にて、白色粒子５Ａが分散した状態となる。これにより、黒色表示状態となり、表示面１２１に赤色粒子６Ａの色と分散媒７Ａの色との混合色である黒色が表示される。
なお、本願明細書において、「分散」とは、複数の白色粒子５Ａ（赤色粒子６Ａについても同様）が、第１のセル４１０Ａ内でそれぞれ離間しながら、すなわち直前の移動方向への移動が可能な状態で、実質的に均一に散らばっていること言う。
【００４８】
ここで、第１の電極３への電圧印加時間が同じ場合の、印加電圧の大きさと粒子（白色粒子５Ａおよび赤色粒子６Ａ）の移動距離との関係を図６（ａ）、（ｂ）に示す。図６（ａ）から分かるように、電圧印加時間が同じ場合、白色粒子５Ａや赤色粒子６Ａの移動距離は、電圧の大きさ（絶対値）に比例する。
このような性質を利用して、電圧Ｖ３の大きさを電圧Ｖ１の１／３程度とすることにより、黒色表示状態のときに、赤色粒子６Ａを第２の電極４から、第１のセル４１０Ａの厚さの１／３程度離間した位置付近で分散させることができ、白色粒子５Ａを第２の電極４から第１のセル４１０Ａの厚さの２／３程度離間した位置付近で分散させることができる。そのため、表示面１２１側から第１のセル４１０Ａを見たときに、赤色粒子６Ａによって白色粒子５Ａを効果的に覆い隠すことができるので、より反射率の低い黒色を表示することができる。
【００４９】
反対に、黒色表示状態から赤色表示状態へ切り替える場合は、黒色表示状態のときに第１の電極３に図５（ｄ）に示す電圧Ｖ４を印加する。電圧Ｖ４は、極性が異なる以外は電圧Ｖ３と同じである。すなわち、電圧Ｖ４は、マイナス（−）の電圧であり、矩形状の波形をなし、大きさが経時的に一定である。また、電圧Ｖ４の大きさは、本実施形態では（−）５Ｖである。また、第１の電極３への電圧Ｖ４の印加時間は、電圧Ｖ１の印加時間と等しい。
【００５０】
このような電圧Ｖ４を第１の電極３に印加すると、第１の電極３と第２の電極４との間に、第１の電極３側が第２の電極４側に対して低電位となる電界が生じる。この電界の作用によって、白色粒子５Ａが分散状態から第１の電極３側に移動して第１の電極３に偏在し、赤色粒子６Ａが分散状態から第２の電極４側に移動して第２の電極４に偏在する。これにより、赤色表示状態となり、表示面１２１に赤色が表示される。
【００５１】
ここで、電圧Ｖ４の大きさを電圧Ｖ２の大きさの１／３程度とすることにより、第２の電極４から第１のセル４１０Ａの厚さの１／３程度離間した位置付近で分散している赤色粒子６Ａを、第２の電極４側に第１のセル４１０Ａの厚さの１／３程度移動させることができ、同様に、第１の電極３から第１のセル４１０Ａの厚さの１／３程度離間した位置付近で分散している白色粒子５Ａを、第１の電極３側に第１のセル４１０Ａの厚さの１／３程度移動させることができる。そのため、過度な電圧印加を防止しつつ、黒色表示状態から赤色表示状態へ切り替えることができる。
【００５２】
−黒色表示状態と白色表示状態との切り替え−
白色表示状態から黒色表示状態へ切り替える場合は、白色表示状態のときに、第１の電極３に図５（ｅ）に示す電圧Ｖ５を印加する。電圧Ｖ５は、矩形状の波形をなし、電圧の大きさが経時的に一定である。また、第１の電極３への電圧Ｖ３の印加時間は、電圧Ｖ１の印加時間と等しい。
【００５３】
また、電圧Ｖ５の大きさ（絶対値）は、電圧Ｖ１の大きさ（絶対値）よりも低く、電圧Ｖ３の大きさ（絶対値）よりも高い。具体的には、電圧Ｖ５の大きさ（絶対値）は、電圧Ｖ１の大きさ（絶対値）の１／２以上、３／４以下程度であるのが好ましい。言い換えれば、電圧Ｖ５を第１の電極３に印加することにより第１の電極３と第２の電極４との間に発生する電界の強さは、電圧Ｖ１を第１の電極３に印加することにより第１の電極３と第２の電極４との間に発生する電界の強さの１／２以上、３／４以下程度であるのが好ましい。これにより、後述するように、より反射率の低い黒色が表示された黒色表示状態とすることができる。なお、本実施形態では、電圧Ｖ５の大きさは、（−）１０Ｖに設定されている。
このような電圧Ｖ５を第１の電極３に印加すると、第１の電極３と第２の電極４との間に、第１の電極３側が第２の電極４側に対して低電位となる電界が生じる。この電界の作用によって、白色粒子５Ａが第２の電極４側から第１の電極３側に移動すると共に、赤色粒子６Ａが第１の電極３側から第２の電極４側へ移動する。
【００５４】
しかしながら、前述のように、電圧Ｖ５の大きさ（絶対値）が電圧Ｖ１と比較して小さいため、電圧Ｖ５を電圧Ｖ１と等しい時間印加しても、白色粒子５Ａは第１の電極３に到達せず、同様に赤色粒子６Ａも第２の電極４に到達しない。その結果、図４（ｃ）に示すように、第１のセル４１０Ａ中の第２の電極４側にて、赤色粒子６Ａが分散すると共に、その下側（第１の電極３側）にて、白色粒子５Ａが分散した状態となる。これにより、黒色表示状態となり、表示面１２１に黒色が表示される。
【００５５】
ここで、図６（ｂ）から分かるように、電圧Ｖ５の大きさを電圧Ｖ１の２／３程度とすることにより、黒色表示状態のときに、赤色粒子６Ａを第２の電極４から、第１のセル４１０Ａの厚さの１／３程度離間した位置付近で分散させることができ、白色粒子５Ａを第２の電極４から第１のセル４１０Ａの厚さの２／３程度離間した位置付近で分散させることができる。そのため、表示面１２１側から第１のセル４１０Ａを見たときに、赤色粒子６Ａによって白色粒子５Ａを効果的に覆い隠すことができるので、より反射率の低い黒色を表示することができる。また、赤色表示状態から黒色表示状態した場合と同じ色（反射率のほぼ等しい黒色）とすることができるため、表示ムラのない鮮明な画像を表示することができる。
【００５６】
反対に、黒色表示状態から白色表示状態へ切り替える場合には、黒色表示状態のときに第１の電極３に図５（ｆ）に示す電圧Ｖ６を印加する。電圧Ｖ６は、極性が異なる以外は電圧Ｖ５と同じである。すなわち、電圧Ｖ５は、（＋）の電圧であり、矩形状の波形をなし、大きさが経時的に一定である。また、第１の電極３への電圧Ｖ４の印加時間は、電圧Ｖ１の印加時間と等しい。本実施形態では、電圧Ｖ６の大きさは（＋）１０Ｖに設定されている。
【００５７】
このような電圧Ｖ６を第１の電極３に印加すると、第１の電極３と第２の電極４との間に、第１の電極３側が第２の電極４側に対して高電位となる電界が生じる。この電界の作用によって、白色粒子５Ａが分散状態から第２の電極４側に移動して第２の電極４側に偏在し、赤色粒子６Ａは、分散状態から第１の電極３側に移動して第１の電極３側に偏在する。これにより、白色表示状態となり、表示面１２１に白色が表示される。
【００５８】
ここで、電圧Ｖ６の大きさを電圧Ｖ１の大きさの２／３程度とすることにより、第２の電極４から第１のセル４１０Ａの厚さの２／３程度離間した位置付近で分散している白色粒子５Ａを、第２の電極４側に第１のセル４１０Ａの厚さの２／３程度移動させることができ、同様に、第１の電極３から第１のセル４１０Ａの厚さの２／３程度離間した位置付近で分散している赤色粒子６Ａを、第１の電極３側に第１のセル４１０Ａの厚さの２／３程度移動させることができる。そのため、過度な電圧印加を防止しつつ、黒色表示状態から白色表示状態へ切り替えることができる。
【００５９】
以上、第１のセル４１０Ａを用いて表示装置２０の駆動方法について詳細に説明した。このような駆動方法によれば、第１のセル４１０Ａの直前の状態に応じて第１の電極３に印加する電圧パターンを選択しているため、より効率的に表示状態を切り替えることができる。その結果、省電力駆動が可能となると共に、白色粒子５Ａや赤色粒子６Ａの第１のセル４１０Ａの内壁への焼き付き等を効果的に防止または抑制することができる。
特に、本実施形態では、白色粒子５Ａと赤色粒子６Ａの移動度を等しく設定しているため、白色粒子５Ａと赤色粒子６Ａの移動を第１のセル４１０Ａの厚さ方向に対称的に制御することができるため、より簡単かつ確実に、各色の表示状態とすることができる。
【００６０】
なお、白色表示状態、赤色表示状態および黒色表示状態のいずれの表示状態とする場合でも、直前の第１のセル４１０Ａの表示状態が同じ場合（例えば、白色表示状態から白色表示状態にする場合）には、第１の電極３に前述したような電圧を印加しなくてもよい。これにより、省電力駆動を実現することができるとともに、白色粒子５Ａや赤色粒子６Ａの焼き付きを防止することができる。
また、図６（ａ）（ｂ）に示すように、電圧Ｖ１〜Ｖ６は、いずれも、白色粒子５Ａおよび赤色粒子６Ａが泳動をするのに必要な電圧（電界）の大きさの閾値（Ｖｍｉｎ）よりも高く設定されている。
【００６１】
次いで、１つの画素Ｐｉｘにおける色表示について説明する。上述した第１のセル４１０Ａと同様に、第２のセル４１０Ｂでも、白色表示状態（第１の色表示状態）と、緑色表示状態（第２の色表示状態）と、黒色表示状態（第３の色表示状態）とを選択することができる。また、第３のセル４１０Ｃでも、白色表示状態（第１の色表示状態）と、青色表示状態（第２の色表示状態）と、黒色表示状態（第３の色表示状態）とを選択することができる。
【００６２】
そのため、１つの画素Ｐｉｘでは、各セル４１０Ａ、４１０Ｂ、４１０Ｃの表示状態を独立して制御（選択）することにより、フルカラー表示を行うことができる。例えば、（第１のセル４１０Ａ／第２のセル４１０Ｂ／第３のセル４１０Ｃ）を（赤色表示状態／緑色表示状態／白色表示状態）とすれば、赤色と緑色の混色を表示することができ、（白色表示状態／緑色表示状態／青色表示状態）とすれば、緑色と青色の混色を表示することができる。さらに、画素Ｐｉｘ毎に、表示色を選択することにより、表示面１２１にフルカラーの画像を表示することができる。
【００６３】
＜第２実施形態＞
図７は、図１に示す表示装置の第１の電極に印加する電圧を示す図である。
以下、第２実施形態について、前述した実施形態との相違点を中心に説明し、同様の事項については、その説明を省略する。
本発明の第２実施形態にかかる表示装置（表示シートの駆動方法、制御装置）は、第１のセル４１０Ａに印加する電圧のパターンが異なる以外は、第１実施形態の表示装置と同様である。なお、前述した第１実施形態と同様の構成には、同一符号を付してある。
本実施形態の表示装置は、第１実施形態の表示装置２０と同様の構成である。そのため、表示装置２０の駆動方法について、以下、第１のセル４１０Ａを代表して説明する。
【００６４】
−白色表示状態と赤色表示状態との切り替え−
赤色表示状態から白色表示状態へ切り替える場合は、赤色表示状態のときに第１の電極３に図７（ａ）に示す電圧Ｖ１’を印加する。これにより、第１の電極３と第２の電極４との間に第１の電極３側が第２の電極４側に対して高電位となる電界が生じる。この電界の作用によって、白色粒子５Ａは、第２の電極４側に移動して第２の電極４に偏在し、赤色粒子６Ａは、第１の電極３側に移動して第１の電極３に偏在する。これにより白色表示状態となり、表示面１２１に白色が表示される。
【００６５】
反対に、白色表示状態から赤色表示状態へ切り替える場合は、白色表示状態のときに第１の電極３に図７（ｂ）に示す電圧Ｖ２’を印加する。これにより、第１の電極３と第２の電極４との間に第１の電極３側が第２の電極４側に対して低電位となる電界が生じる。この電界の作用によって、白色粒子５Ａは、第１の電極３側に移動して第１の電極３に偏在し、赤色粒子６Ａは、第２の電極４側に移動して第２の電極４に偏在する。これにより赤色表示状態となり、表示面１２１に赤色が表示される。
【００６６】
電圧Ｖ１’は、プラス（＋）の電圧であり、大きさが経時的に変化する矩形状のパルス波である。電圧Ｖ１’の大きさは、特に限定されないが、本実施形態では＋１５Ｖである。また、第１の電極３への電圧Ｖ１’の印加時間（パルス波の印加数）は、第１のセル４１０内で白色粒子５Ａを第２の電極４側から第１の電極３側へ移動させることができれば、特に限定されないが、白色粒子５Ａが第２の電極４側から第１の電極３側へ移動するのに必要な時間（すなわち、第１のセル４１０の厚さと等しい距離を移動するのに必要な時間）とほぼ等しいか、または、若干長いのが好ましい。これにより、第１の電極３への過度な電圧印加が防止され、電圧印加時間を最適化することができる。
一方、電圧Ｖ２’は、極性が異なる以外は電圧Ｖ１’と同じである。すなわち、電圧Ｖ２’は、マイナス（−）の電圧であり、大きさが経時的に変化する矩形状のパルス波である。また、電圧Ｖ２’の大きさは、本実施形態では（−）１５Ｖである。また、第１の電極３への電圧Ｖ２’の印加時間は、電圧Ｖ１’の印加時間と等しい。
【００６７】
−赤色表示状態と黒色表示状態との切り替え−
赤色表示状態から黒色表示状態へ切り替える場合は、赤色表示状態のときに第１の電極３に図７（ｃ）に示す電圧Ｖ３’を印加する。電圧Ｖ３’は、電圧Ｖ１’と同じ波形（大きさおよび周期）を有するパルス波である。
電圧Ｖ３’の第１の電極３への印加時間は、電圧Ｖ１’の第１の電極３への印加時間よりも短い。具体的には、電圧Ｖ３’の印加時間（すなわち、印加されるパルス波の数）は、電圧Ｖ１’の印加時間の１／４以上、１／２以下程度であるのが好ましい。言い換えれば、電圧Ｖ３’を第１の電極３に印加することにより第１の電極３と第２の電極４との間に発生する電界が作用する時間は、電圧Ｖ１’を第１の電極３に印加することにより第１の電極３と第２の電極４との間に発生する電界が作用する時間の１／４以上、１／２以下程度であるのが好ましい。これにより、後述するように、より反射率の低い黒色が表示された黒色表示状態とすることができる。本実施形態では、電圧Ｖ３’の印加時間は、電圧Ｖ１’の１／３程度に設定されている。
このような電圧Ｖ３’を第１の電極３に印加すると、第１の電極３と第２の電極４との間に、第１の電極３側が第２の電極４側に対して高電位となる電界が生じる。この電界の作用によって、白色粒子５Ａが第１の電極３側から第２の電極４側に移動すると共に、赤色粒子６Ａが第２の電極４側から第１の電極３側へ移動する。
【００６８】
しかしながら、前述のように、電圧Ｖ３’の印加時間が電圧Ｖ１’と比較して短いため、白色粒子５Ａは、第２の電極４に到達せず、同様に赤色粒子６Ａも第１の電極３に到達しない。その結果、図４（ｃ）に示すように、第１のセル４１０Ａ中の第２の電極４側にて、赤色粒子６Ａが分散すると共に、その下側（第１の電極３側）にて、白色粒子５Ａが分散した状態となる。これにより、黒色表示状態となり、表示面１２１に黒色が表示される。
【００６９】
ここで、第１の電極３へ印加する電圧が同じ場合、白色粒子５Ａや赤色粒子６Ａの移動距離は、電圧印加時間に比例する。このような性質を利用して、電圧Ｖ３’の印加時間を電圧Ｖ１’の１／３程度とすることにより、黒色表示状態のときに、赤色粒子６Ａを第２の電極４から、第１のセル４１０Ａの厚さの１／３程度離間した位置付近で分散させることができ、白色粒子５Ａを第２の電極４から第１のセル４１０Ａの厚さの２／３程度離間した位置付近で分散させることができる。そのため、表示面１２１側から第１のセル４１０Ａを見たときに、赤色粒子６Ａによって白色粒子５Ａを効果的に覆い隠すことができるので、より反射率の低い黒色を表示することができる。
反対に、黒色表示状態から赤色表示状態へ切り替える場合は、黒色表示状態のときに第１の電極３に図７（ｄ）に示す電圧Ｖ４’を印加する。電圧Ｖ４’は、電圧Ｖ２’と同じ波形（大きさおよび周期）を有するパルス波である。また、電圧Ｖ４’の第１の電極３への印加時間は、電圧Ｖ３’と同じでる。
【００７０】
このような電圧Ｖ４’を第１の電極３に印加すると、第１の電極３と第２の電極４との間に、第１の電極３側が第２の電極４側に対して低電位となる電界が生じる。この電界の作用によって、白色粒子５Ａが分散状態から第１の電極３側に移動して第１の電極３に偏在し、赤色粒子６Ａが分散状態から第２の電極４側に移動して第２の電極４に偏在する。これにより、赤色表示状態となり、表示面１２１に赤色が生じされる。
【００７１】
電圧Ｖ４’の印加時間を電圧Ｖ２’の大きさの１／３程度とすることにより、第２の電極４から第１のセル４１０Ａの厚さの１／３程度離間した位置付近で分散している赤色粒子６Ａを、第２の電極４側に第１のセル４１０Ａの厚さの１／３程度移動させることができ、同様に、第１の電極３から第１のセル４１０Ａの厚さの１／３程度離間した位置付近で分散している白色粒子５Ａを、第１の電極３側に第１のセル４１０Ａの厚さの１／３程度移動させることができる。そのため、過度な電圧印加を防止しつつ、黒色表示状態から赤色表示状態へ切り替えることができる。
【００７２】
−黒色表示状態と白色表示状態との切り替え−
白色表示状態から黒色表示状態へ切り替える場合は、白色表示状態のときに、第１の電極３に図７（ｅ）に示す電圧Ｖ５’を印加する。電圧Ｖ５’は、電圧Ｖ２’と同じ波形（大きさおよび周期）を有するパルス波である。
電圧Ｖ５’の第１の電極３への印加時間は、電圧Ｖ２’の印加時間よりも短く、電圧Ｖ４’の印加時間よりも長い。具体的には、電圧Ｖ５’の印加時間（すなわち、印加されるパルス波の数）は、電圧Ｖ２’の印加時間の１／２以上、３／４以下程度であるのが好ましい。言い換えれば、電圧Ｖ５’を第１の電極３に印加することにより第１の電極３と第２の電極４との間に発生する電界が作用する時間は、電圧Ｖ２’を第１の電極３に印加することにより第１の電極３と第２の電極４との間に発生する電界が作用する時間の１／２以上、３／４以下程度であるのが好ましい。これにより、後述するように、より反射率の低い黒色が表示された黒色表示状態とすることができる。本実施形態では、電圧Ｖ５’の印加時間は、電圧Ｖ２’の２／３程度に設定されている。
このような電圧Ｖ５’を第１の電極３に印加すると、第１の電極３と第２の電極４との間に、第１の電極３側が第２の電極４側に対して低電位となる電界が生じる。この電界の作用によって、白色粒子５Ａが第２の電極４側から第１の電極３側に移動すると共に、赤色粒子６Ａが第１の電極３側から第２の電極４側へ移動する。
【００７３】
しかしながら、前述のように、電圧Ｖ５’の印加時間が電圧Ｖ２’と比較して短いため、電圧Ｖ２’と同じ波形の電圧Ｖ５’を印加しても、白色粒子５Ａは第１の電極３に到達せず、同様に赤色粒子６Ａも第２の電極４に到達しない。その結果、図４（ｃ）に示すように、第１のセル４１０Ａ中の第２の電極４側にて、赤色粒子６Ａが分散すると共に、その下側（第１の電極３側）にて、白色粒子５Ａが分散した状態となる。これにより、黒色表示状態となり、表示面１２１に黒色が表示される。
【００７４】
電圧Ｖ５’の大きさを電圧Ｖ２’の２／３程度とすることにより、黒色表示状態のときに、赤色粒子６Ａを第２の電極４から、第１のセル４１０Ａの厚さの１／３程度離間した位置付近で分散させることができ、白色粒子５Ａを第２の電極４から第１のセル４１０Ａの厚さの２／３程度離間した位置付近で分散させることができる。そのため、表示面１２１側から第１のセル４１０Ａを見たときに、赤色粒子６Ａによって白色粒子５Ａを効果的に覆い隠すことができるので、より反射率の低い黒色を表示することができる。また、赤色表示状態から黒色表示状態した場合と同じ色（反射率のほぼ等しい黒色）とすることができるため、表示ムラのない鮮明な画像を表示することができる。
反対に、黒色表示状態から白色表示状態へ切り替える場合には、黒色表示状態のときに第１の電極３に図７（ｆ）に示す電圧Ｖ６’を印加する。電圧Ｖ６’は、電圧Ｖ１’と同じ波形（大きさおよび周期）を有するパルス波である。また、電圧Ｖ６’の第１の電極３への印加時間は、電圧Ｖ５’と同じでる。
【００７５】
このような電圧Ｖ６’を第１の電極３に印加すると、第１の電極３と第２の電極４との間に、第１の電極３側が第２の電極４側に対して高電位となる電界が生じる。この電界の作用によって、白色粒子５Ａが分散状態から第２の電極４側に移動して第２の電極４側に偏在し、赤色粒子６Ａは、分散状態から第１の電極３側に移動して第１の電極３側に偏在する。これにより、白色表示状態となり、表示面１２１に白色が表示される。
【００７６】
ここで、電圧Ｖ６’の印加時間を電圧Ｖ１’の印加時間の２／３程度とすることにより、第２の電極４から第１のセル４１０Ａの厚さの２／３程度離間した位置付近で分散している白色粒子５Ａを、第２の電極４側に第１のセル４１０Ａの厚さの２／３程度移動させることができ、同様に、第１の電極３から第１のセル４１０Ａの厚さの２／３程度離間した位置付近で分散している赤色粒子６Ａを、第１の電極３側に第１のセル４１０Ａの厚さの２／３程度移動させることができる。そのため、過度な電圧印加を防止しつつ、黒色表示状態から白色表示状態へ切り替えることができる。
【００７７】
以上、第１のセル４１０Ａを用いて表示装置２０の駆動方法について詳細に説明した。このような駆動方法によれば、第１のセル４１０Ａの直前の状態に応じて第１の電極３に印加する電圧パターンを選択しているため、より効率的に表示状態を切り替えることができる。その結果、省電力駆動が可能となると共に、白色粒子５Ａや赤色粒子６Ａの第１のセル４１０Ａの内壁への焼き付き等を効果的に防止または抑制することができる。
また、本実施形態では、電圧印加時間を制御することにより、上記の駆動を実現しているが、これによれば、例えば第１実施形態のような電圧の大きさを制御する駆動方法に対して制御装置の簡易化を図ることができる。具体的には、第１実施形態のような電圧の大きさを制御する場合には、昇圧回路等を設ける必要があるが、本実施形態では、そのような回路を設ける必要がないため、装置構成が簡単となる。
【００７８】
＜第３実施形態＞
図８は、表示装置の黒色表示状態を示す断面図である。
以下、第３実施形態について、前述した実施形態との相違点を中心に説明し、同様の事項については、その説明を省略する。
本発明の第３実施形態にかかる表示装置（表示シートの駆動方法、制御装置）は、白色粒子５Ａ、５Ｂ、５Ｃの移動度が、赤色粒子６Ａ、緑色粒子６Ｂ、青色粒子６Ｃの移動度とよりも大きいこと以外は、第１実施形態の表示装置と同様である。なお、前述した第１実施形態と同様の構成には、同一符号を付してある。
本実施形態の表示装置は、第１実施形態の表示装置２０と同様の構成である。そのため、以下では、表示装置２０の駆動方法について、第１のセル４１０Ａを代表して説明する。
【００７９】
白色粒子５Ａの移動度（泳動速度）は、赤色粒子６Ａの移動度よりも大きく設定されている。具体的には、白色粒子５Ａの移動度は、赤色粒子６Ａの移動度の２倍以上とするのが好ましい。これにより、白色表示状態から黒色表示状態へ切り替えることにより、より低い反射率の黒色を表示することができる。
具体的には、白色表示状態から、赤色粒子６Ａを第１の電極３側から第２の電極４側へ移動させ、赤色粒子６Ａが第１のセル４１０Ａ中の第２の電極４側にて分散する状態としたときには、図８（ａ）に示すように、すでに白色粒子５Ａは、第２の電極４側から第１の電極３側に移動し、第１の電極３に集まっている。これにより、赤色粒子６Ａの色と分散媒７Ａの色との混合色である黒色に、白色粒子５Ａの色がさらに混合されるのをより効果的に防止できる。そのため、黒色表示状態にて、より反射率の低い黒色を表示することができる。
【００８０】
一方、赤色表示状態から黒色表示状態へ切り替えようとし、赤色粒子６Ａを第２の電極４側から第１の電極３側へ移動させ、赤色粒子６Ａが第１のセル４１０Ａ中の第２の電極４側にて分散する状態としたときには、図８（ｂ）に示すように、白色粒子５Ａは、すでに第２の電極４側へ到達しており、赤色粒子６Ａの色と分散媒７Ａの色との混合色である黒色に、白色粒子５Ａの色がさらに混合され、反射率の低い黒色を表示することができないおそれがある。
そこで、本実施形態では、赤色表示状態から黒色表示状態へ切りかえる際は、一旦、白色表示状態を経由する、すなわち、赤色表示状態から白色表示状態した後、黒色表示状態とするように駆動するのが好ましい。これにより、より反射率の低い黒色を表示することができるため、高いコントラストを発揮することができる。
【００８１】
＜第４実施形態＞
図９は、表示装置の黒色表示状態を示す断面図である。
以下、第４実施形態について、前述した実施形態との相違点を中心に説明し、同様の事項については、その説明を省略する。
本発明の第４実施形態にかかる表示装置（表示シートの駆動方法、制御装置）は、白色粒子５Ａ、５Ｂ、５Ｃの移動度が、赤色粒子６Ａ、緑色粒子６Ｂ、青色粒子６Ｃの移動度とよりも大きいこと以外は、第１実施形態の表示装置と同様である。なお、前述した第１実施形態と同様の構成には、同一符号を付してある。
本実施形態の表示装置は、第１実施形態の表示装置２０と同様の構成である。そのため、以下では、表示装置２０の駆動方法について、第１のセル４１０Ａを代表して説明する。
【００８２】
白色粒子５Ａの移動度（泳動速度）は、赤色粒子６Ａの移動度よりも低く設定されている。具体的には、白色粒子５Ａの移動度は、赤色粒子６Ａの移動度の１／２以下に設定されている。これにより、赤色表示状態から黒色表示状態へ切り替えることにより、より低い反射率の黒色を表示することができる。
具体的には、赤色表示状態から、赤色粒子６Ａを第２の電極４側から第１の電極３側へ移動させ、赤色粒子６Ａが第１のセル４１０Ａ中の第２の電極４側にて分散する状態としたとき、図９（ａ）に示すように、白色粒子５Ａは、未だ、第１の電極３側に集まっている。これにより、赤色粒子６Ａの色と分散媒７Ａの色との混合色である黒色に、白色粒子５Ａの色がさらに混合されるのをより効果的に防止できる。そのため、黒色表示状態にて、より反射率の低い黒色を表示することができる。
【００８３】
一方、白色表示状態から黒色表示状態へ切り替えようとし、赤色粒子６Ａを第１の電極３側から第２の電極４側へ移動させ、赤色粒子６Ａが第１のセル４１０Ａ中の第２の電極４側にて分散する状態としたときには、図９（ｂ）に示すように、白色粒子５Ａは、未だ第２の電極４側に集まっており、赤色粒子６Ａの色と分散媒７Ａの色との混合色である黒色に、白色粒子５Ａの色がさらに混合され、反射率の低い黒色を表示することができないおそれがある。
そこで、本実施形態では、白色表示状態から黒色表示状態へ切りかえる際は、一旦、赤色表示状態を経由する、すなわち、白色表示状態から赤色表示状態した後、黒色表示状態とするように駆動するのが好ましい。これにより、より反射率の低い黒色を表示することができるため、高いコントラストを発揮することができる。
【００８４】
＜第５実施形態＞
図１０は、本発明の表示装置の第５実施形態を示す断面図である。
以下、第５実施形態について、前述した実施形態との相違点を中心に説明し、同様の事項については、その説明を省略する。
本発明の第５実施形態にかかる表示装置は、表示シートと制御装置とが別体として形成されている以外は、第１実施形態の表示装置と同様である。なお、前述した第１実施形態と同様の構成には、同一符号を付してある。
【００８５】
図１０に示すように、表示装置２０Ａは、表示シート２１Ａと、制御装置２２Ａとを有している。表示シート２１Ａは、平板状の基部２と基部２の下面に設けられた第２の電極４とを備える基板１２と、平板状の基部８１と基部８１の上面に設けられた複数の第１の電極３とを備える基板８と、基板１２、８の間に設けられた表示層４００とを有している。基部８１には、図示しない回路が設けられており、前記回路は、例えば、各第１の電極３に対応して設けられた複数のＴＦＴと、これに対応して形成された複数のゲート線および複数のデータ線と、ゲート線に所定の電圧を印加するゲートドライバーと、データ線に所定の電圧を印加するデータドライバーとを有している。
【００８６】
制御装置２２Ａは、表示シート２１Ａに接続して使用され、表示シート２１Ａが有するゲートドライバーおよびデータドライバーの駆動を制御する。このような制御装置２２Ａは、ＣＰＵ２２１Ａと、表示シートコントローラー２２２Ａと、駆動波形生成部２２３Ａとを有している。表示シートコントローラー２２２Ａは、駆動波形生成部２２３Ａで生成された電圧（波形、印加時間、電圧値等）が所定のゲート線およびデータ線に印加されるように、ゲートドラーバーおよびデータドライバーの駆動を制御する。また、ＣＰＵ２２１Ａは、表示シートコントローラー２２２Ａの駆動を制御する。
このような構成によれば、表示シート２１Ａと別体として構成された制御装置２２Ａによって、表示シート２１Ａに所望の画像を表示することができる。
【００８７】
以上説明したような表示装置２０は、それぞれ、各種電子機器に組み込むことができる。電気泳動表示装置を備える本発明の電子機器としては、例えば、電子ペーパー、電子ブック、テレビ、ビューファインダ型、モニタ直視型のビデオテープレコーダ、カーナビゲーション装置、ページャ、電子手帳、電卓、電子新聞、ワードプロセッサ、パーソナルコンピュータ、ワークステーション、テレビ電話、ＰＯＳ端末、タッチパネルを備えた機器等を挙げることができる。
【００８８】
これらの電子機器のうちから、電子ペーパーを例に挙げ、具体的に説明する。
図１１は、本発明の電子機器を電子ペーパーに適用した場合の実施形態を示す斜視図である。
図１１に示す電子ペーパー６００は、紙と同様の質感および柔軟性を有するリライタブルシートで構成される本体６０１と、表示ユニット６０２とを備えている。このような電子ペーパー６００では、表示ユニット６０２が、前述したような表示装置２０で構成されている。
【００８９】
次に、本発明の電子機器をディスプレイに適用した場合の実施形態について説明する。
図１２は、本発明の電子機器をディスプレイに適用した場合の実施形態を示す図である。このうち、図１２中（ａ）は断面図、（ｂ）は平面図である。
図１２に示すディスプレイ（表示装置）８００は、本体部８０１と、この本体部８０１に対して着脱自在に設けられた電子ペーパー６００とを備えている。なお、この電子ペーパー６００は、前述したような構成、すなわち、図１１に示す構成と同様である。
【００９０】
本体部８０１は、その側部（図１２（ａ）中、右側）に電子ペーパー６００を挿入可能な挿入口８０５が形成され、また、内部に二組の搬送ローラ対８０２ａ、８０２ｂが設けられている。電子ペーパー６００を、挿入口８０５を介して本体部８０１内に挿入すると、電子ペーパー６００は、搬送ローラ対８０２ａ、８０２ｂにより挟持された状態で本体部８０１に設置される。
【００９１】
また、本体部８０１の表示面側（図１２（ｂ）中、紙面手前側）には、矩形状の孔部８０３が形成され、この孔部８０３には、透明ガラス板８０４が嵌め込まれている。これにより、本体部８０１の外部から、本体部８０１に設置された状態の電子ペーパー６００を視認することができる。すなわち、このディスプレイ８００では、本体部８０１に設置された状態の電子ペーパー６００を、透明ガラス板８０４において視認させることで表示面を構成している。
【００９２】
また、電子ペーパー６００の挿入方向先端部（図１２（ａ）中、左側）には、端子部８０６が設けられており、本体部８０１の内部には、電子ペーパー６００を本体部８０１に設置した状態で端子部８０６が接続されるソケット８０７が設けられている。このソケット８０７には、コントローラー８０８と操作部８０９とが電気的に接続されている。
このようなディスプレイ８００では、電子ペーパー６００は、本体部８０１に着脱自在に設置されており、本体部８０１から取り外した状態で携帯して使用することもできる。これにより、利便性が向上する。
【００９３】
以上、本発明の表示シートの駆動方法、制御装置、表示装置および電子機器を、図示の実施形態に基づいて説明したが、本発明はこれに限定されるものではなく、各部の構成は、同様の機能を有する任意の構成のものに置換することができる。また、本発明に、他の任意の構成物が付加されていてもよい。また、各実施形態を適宜組み合わせてもよい。
また、前述した第１実施形態では、電圧の大きさを制御することにより、各表示状態を切り替え、前述した第２実施形態では、電圧の印加時間を制御することにより、各表示状態を切り替える構成を説明したが、これらを組み合わせてもよい。
【００９４】
例えば、第１のセルにおいて、白色表示状態と赤色表示状態とを切り替えるために第１の電極に印加する電圧と、白色表示状態と黒色表示状態とを切り替えるために第１の電極に印加する電圧および赤色表示状態と黒色表示状態とを切り替えるために第１の電極に作用させる電圧の方が大きさ（絶対値）が小さくかつ印加時間が短くなるように設定してもよい。これにより、より緻密な制御が可能となり、より高品質な画像を表示することができる。
【００９５】
また、前述した実施形態では、１つの画素が３つのセルで構成され、フルカラー表示が可能な構成について説明したが、１つの画素が１つのセルで構成されていてもよい。すなわち、白色、黒色、その他１色の色（第２の粒子の色）の３色表示が可能な表示装置であってもよい。
また、前述した実施形態では、第１のセルに充填された分散液として、白色をなす白色粒子（第１の粒子）と、赤色をなす赤色粒子（第２の粒子）とをシアン色をなす分散媒に分散したものを用い、第２のセルに充填された分散液として、白色をなす白色粒子（第１の粒子）と、緑色をなす赤色粒子（第２の粒子）とをマゼンタ色をなす分散媒に分散したものを用い、第３のセルに充填された分散液として、白色をなす白色粒子（第１の粒子）と、青色をなす赤色粒子（第２の粒子）とをイエロー色をなす分散媒に分散したものを用いた構成について説明したが、これに限定されない。すなわち、第１のセルに充填された分散液として、白色をなす白色粒子（第１の粒子）と、シアン色をなす赤色粒子（第２の粒子）とを赤色をなす分散媒に分散したものを用い、第２のセルに充填された分散液として、白色をなす白色粒子（第１の粒子）と、マゼンタ色をなす赤色粒子（第２の粒子）とを緑色をなす分散媒に分散したものを用い、第３のセルに充填された分散液として、白色をなす白色粒子（第１の粒子）と、イエロー色をなす赤色粒子（第２の粒子）とを青色をなす分散媒に分散したものを用いた構成としてもよい。これによっても、フルカラー表示が可能な表示装置を得ることができる。
【００９６】
また、前述した実施形態では、分散液がセルに充填された構成（いわゆる隔壁型）の表示装置について説明したが、これに限定されず、例えば、分散液が封入されたマイクロカプセルを配列して構成されるマイクロカプセル型の表示装置であってもよい。マイクロカプセル型の表示装置は、例えば、白色をなす白色粒子（第１の粒子）と、赤色をなす赤色粒子（第２の粒子）とをシアン色をなす分散媒に分散した分散液を封入する第１のマイクロカプセルと、白色をなす白色粒子（第１の粒子）と、緑色をなす赤色粒子（第２の粒子）とをマゼンタ色をなす分散媒に分散した分散液を封入する第２のマイクロカプセルと、白色をなす白色粒子（第１の粒子）と、青色をなす赤色粒子（第２の粒子）とをイエロー色をなす分散媒に分散した分散液を封入する第３のマイクロカプセルを用意し、これらを定められた領域に、例えばインクジェット法によって塗布することにより得ることができる。
【符号の説明】
【００９７】
１‥‥基部  ２‥‥基部  ３‥‥第１の電極  ４‥‥第２の電極  ５‥‥第１の粒子  ５Ａ、５Ｂ、５Ｃ‥‥白色粒子  ６‥‥第２の粒子  ６Ａ‥‥赤色粒子  ６Ｂ‥‥緑色粒子  ６Ｃ‥‥青色粒子  ７、７Ａ、７Ｂ、７Ｃ‥‥分散媒  ８‥‥基板  ８１‥‥基部  １００、１００Ａ、１００Ｂ、１００Ｃ‥‥分散液  １１‥‥対向基板  １２‥‥基板  １２１‥‥表示面  ２０、２０Ａ‥‥表示装置  ２１、２１Ａ‥‥表示シート  ２２、２２Ａ‥‥回路基板  ２２１Ａ‥‥ＣＰＵ  ２２２Ａ‥‥表示シートコントローラー  ２２３Ａ‥‥駆動波形生成部  ４００‥‥表示層  ４０１‥‥基体  ４０１ａ‥‥凹部  ４０２‥‥蓋体  ４１０‥‥セル  ４１０Ａ‥‥第１のセル  ４１０Ｂ‥‥第２のセル  ４１０Ｃ‥‥第３のセル  ６００……電子ペーパー  ６０１……本体  ６０２……表示ユニット  ８００……ディスプレイ  ８０１……本体部  ８０２ａ、８０２ｂ……搬送ローラ対  ８０３……孔部  ８０４……透明ガラス板  ８０５……挿入口  ８０６……端子部  ８０７……ソケット  ８０８……コントローラー  ８０９……操作部  Ｖ１〜Ｖ６、Ｖ１’〜Ｖ６’‥‥電圧
【図１】
2012083386.tif 000003
【図２】
2012083386.tif 000004
【図３】
2012083386.tif 000005
【図４】
2012083386.tif 000006
【図５】
2012083386.tif 000007
【図６】
2012083386.tif 000008
【図７】
2012083386.tif 000009
【図８】
2012083386.tif 000010
【図９】
2012083386.tif 000011
【図１０】
2012083386.tif 000012
【図１１】
2012083386.tif 000013
【図１２】
2012083386.tif 000014